(57)【要約】【課題】１個の光源によってレンズおよびリフレクタの両方が所定の方向から同時に光って見えるようにする。【解決手段】光源Ｓと、光源Ｓからの光を導光するためのレンズ１，２と、光源Ｓからの光を反射するためのリフレクタ３とを具備する照明装置において、レンズ１内に進入した光源Ｓからの光の一部をリフレクタ３の側に反射するための反射面１ｇをレンズ１に形成する。好ましくは、光源Ｓからの光が入射せしめられる入射面１ａと、導光された光が出射せしめられる発光面としての出射面２ｆとをレンズ１，２に形成し、光源Ｓから放射された光が光源Ｓの主光軸線Ｌとなす角度θ，θ’を増加させるための空気層４を入射面１ａと出射面２ｆとの間に配置する。【選択図】図６
2007287449.tif 000002
【特許請求の範囲】
【請求項１】
光源と、前記光源からの光を導光するためのレンズと、前記光源からの光を反射するためのリフレクタとを具備する照明装置において、前記レンズ内に進入した前記光源からの光の一部を前記リフレクタの側に反射するための反射面を前記レンズに形成したことを特徴とする照明装置。
【請求項２】
前記光源からの光が入射せしめられる入射面と、導光された光が出射せしめられる発光面とを前記レンズに形成し、前記光源から放射された光が光源の主光軸線となす角度を増加させるための空気層を前記入射面と前記発光面との間に配置したことを特徴とする請求項１に記載の照明装置。
【請求項３】
前記レンズと前記空気層との境界面に光拡散機能を備えた第１光拡散部を形成したことを特徴とする請求項２に記載の照明装置。
【請求項４】
前記レンズの表面のうち、光源の主光軸線と平行な側面に光拡散機能を備えた第２光拡散部を形成したことを特徴とする請求項３に記載の照明装置。
【発明の詳細な説明】
【技術分野】
【０００１】
本発明は、光源からの光を導光するためのレンズと、光源からの光を反射するためのリフレクタとを具備する照明装置に関し、特には、レンズに対して光を照射する光源と、リフレクタに対して光を照射する光源とを別個に設ける必要性を排除しつつ、レンズによって導光される光の方向と、リフレクタによって反射される光の方向とを一致させることができる照明装置に関する。
【０００２】
換言すれば、本発明は、１個の光源によってレンズおよびリフレクタの両方が所定の方向から同時に光って見えるようにすることができる照明装置に関する。
【背景技術】
【０００３】
従来から、光源（発光体）からの光を導光するためのレンズが知られている。この種のレンズの例としては、例えば特開平６−２２２２１６号公報に記載されたものがある。特開平６−２２２２１６号公報に記載されたレンズには、光源（発光体）からの光が入射せしめられる凹状の入射面（受光部）と、導光された光が出射せしめられる出射面（発光面）とが形成されている。
【０００４】
詳細には、特開平６−２２２２１６号公報に記載されたレンズの実施例では、光源（発光体）の主光軸線に沿って光源（発光体）から照射された光が、レンズにより、光源（発光体）の主光軸線とほぼ平行に導光されている。
【０００５】
また、従来から、光源（ＬＥＤ）からの光を反射するためのリフレクタを具備する照明装置（車両用灯具）が知られている。この種の照明装置（車両用灯具）の例としては、例えば特開２００６−２４５０９号公報に記載されたものがある。
【０００６】
特開２００６−２４５０９号公報に記載された照明装置（車両用灯具）では、光源（ＬＥＤ）の主光軸線に沿って光源（ＬＥＤ）から照射された光が、リフレクタにより、光源（ＬＥＤ）の主光軸線にほぼ直交する方向に反射され、照射されている。
【０００７】
【特許文献１】特開平６−２２２２１６号公報
【特許文献２】特開２００６−２４５０９号公報
【発明の開示】
【発明が解決しようとする課題】
【０００８】
特開平６−２２２２１６号公報に記載されたレンズと、特開２００６−２４５０９号公報に記載された照明装置（車両用灯具）のリフレクタとを組み合わせることにより、光源から放射された光の一部をレンズによって導光し、光源から放射された光の残りの一部をリフレクタによって反射し、照射することが考えられる。
【０００９】
ところで、特開平６−２２２２１６号公報に記載されたレンズと、特開２００６−２４５０９号公報に記載された照明装置（車両用灯具）のリフレクタとを組み合わせると、光源の主光軸線に沿って光源から照射された光が、特開平６−２２２２１６号公報に記載されたレンズによって、光源の主光軸線とほぼ平行に導光されるものの、光源の主光軸線に沿って光源から照射された光が、特開２００６−２４５０９号公報に記載された照明装置（車両用灯具）のリフレクタによって、光源の主光軸線にほぼ直交する方向に反射されてしまう。
【００１０】
つまり、特開平６−２２２２１６号公報に記載されたレンズと、特開２００６−２４５０９号公報に記載された照明装置（車両用灯具）のリフレクタとを単に組み合わせただけでは、レンズによって光源からの光が導光される方向と、リフレクタによって光源からの光が反射される方向とが異なってしまう。
【００１１】
従って、特開平６−２２２２１６号公報に記載されたレンズによって光源からの光が導光される方向と、特開２００６−２４５０９号公報に記載された照明装置（車両用灯具）のリフレクタによって光源からの光が反射される方向とを一致させようとする場合には、レンズに対して光を照射する光源と、リフレクタに対して光を照射する光源とを別個に設けなければならない。
【００１２】
換言すれば、特開平６−２２２２１６号公報に記載されたレンズと、特開２００６−２４５０９号公報に記載された照明装置（車両用灯具）のリフレクタとを単に組み合わせただけでは、１個の光源によってレンズおよびリフレクタの両方が所定の方向から同時に光って見えるようにすることができない。
【００１３】
前記問題点に鑑み、本発明は、レンズに対して光を照射する光源と、リフレクタに対して光を照射する光源とを別個に設ける必要性を排除しつつ、レンズによって導光される光の方向と、リフレクタによって反射される光の方向とを一致させることができる照明装置を提供することを目的とする。
【００１４】
換言すれば、本発明は、１個の光源によってレンズおよびリフレクタの両方が所定の方向から同時に光って見えるようにすることができる照明装置を提供することを目的とする。
【課題を解決するための手段】
【００１５】
請求項１に記載の発明によれば、光源と、前記光源からの光を導光するためのレンズと、前記光源からの光を反射するためのリフレクタとを具備する照明装置において、前記レンズ内に進入した前記光源からの光の一部を前記リフレクタの側に反射するための反射面を前記レンズに形成したことを特徴とする照明装置が提供される。
【００１６】
請求項２に記載の発明によれば、前記光源からの光が入射せしめられる入射面と、導光された光が出射せしめられる発光面とを前記レンズに形成し、前記光源から放射された光が光源の主光軸線となす角度を増加させるための空気層を前記入射面と前記発光面との間に配置したことを特徴とする請求項１に記載の照明装置が提供される。
【００１７】
請求項３に記載の発明によれば、前記レンズと前記空気層との境界面に光拡散機能を備えた第１光拡散部を形成したことを特徴とする請求項２に記載の照明装置が提供される。
【００１８】
請求項４に記載の発明によれば、前記レンズの表面のうち、光源の主光軸線と平行な側面に光拡散機能を備えた第２光拡散部を形成したことを特徴とする請求項３に記載の照明装置が提供される。
【発明の効果】
【００１９】
請求項１に記載の照明装置では、レンズ内に進入した光源からの光の一部をリフレクタの側に反射するための反射面がレンズに形成されている。
【００２０】
詳細には、請求項１に記載の照明装置では、光源から放射され、レンズ内に進入した光の一部が、レンズに形成された反射面によってリフレクタの側に反射され、次いで、そのリフレクタによって所定の方向に反射される。また、光源から放射され、レンズ内に進入した光の残りの一部が、レンズにより、例えばその所定の方向に導光される。
【００２１】
そのため、請求項１に記載の照明装置によれば、レンズに対して光を照射する光源およびリフレクタに対して光を照射する光源として同一の光源を用いつつ、レンズによって導光される光の方向と、リフレクタによって反射される光の方向とを一致させることができる。
【００２２】
詳細には、請求項１に記載の照明装置によれば、レンズに対して光を照射する光源と、リフレクタに対して光を照射する光源とを別個に設ける必要性を排除しつつ、レンズによって導光される光の方向と、リフレクタによって反射される光の方向とを一致させることができる。
【００２３】
換言すれば、請求項１に記載の照明装置によれば、１個の光源によってレンズおよびリフレクタの両方が所定の方向から同時に光って見えるようにすることができる。
【００２４】
請求項２に記載の照明装置では、光源から放射された光が光源の主光軸線となす角度を増加させるための空気層が、レンズの入射面と発光面との間に配置されている。
【００２５】
そのため、請求項２に記載の照明装置によれば、レンズの入射面と発光面との間に空気層が配置されていない場合よりも、光源から放射された光が光源の主光軸線となす角度を増加させることができる。
【００２６】
その結果、請求項２に記載の照明装置によれば、レンズの入射面と発光面との間に空気層が配置されていない場合よりも、レンズの発光面のうち、光源の主光軸線と比較的大きい角度をなす広い領域に光源から放射された光を到達させることができる。
【００２７】
換言すれば、請求項２に記載の照明装置によれば、レンズの入射面と発光面との間に空気層が配置されず、光源から放射された光が、レンズの発光面のうち、光源の主光軸線と比較的小さい角度をなす狭い領域にしか到達せしめられない場合よりも、レンズの発光面を均一に発光させることができる。
【００２８】
つまり、請求項２に記載の照明装置によれば、光源の数を増加させる必要なく、レンズの発光面を均一に発光させることができる。
【００２９】
詳細には、請求項２に記載の照明装置によれば、指向性の高い光源が用いられる場合であっても、光源の数を増加させることなく、レンズの発光面を均一に発光させることができる。
【００３０】
請求項３に記載の照明装置では、レンズの入射面と発光面との間に配置された空気層と、レンズとの境界面に光拡散機能を備えた第１光拡散部が形成されている。そのため、請求項３に記載の照明装置によれば、空気層とレンズとの境界面が平面によって構成されている場合よりも、レンズの発光面のうち、光源の主光軸線と大きい角度をなす広い領域に光源から放射された光を到達させることができる。
【００３１】
請求項４に記載の照明装置では、レンズの表面のうち、光源の主光軸線と平行な側面に光拡散機能を備えた第２光拡散部が形成されている。そのため、請求項４に記載の照明装置によれば、レンズの側面が平面によって構成されている場合よりも、レンズの発光面のうち、光源の主光軸線と大きい角度をなす広い領域に光源から放射された光を到達させることができる。
【発明を実施するための最良の形態】
【００３２】
以下、本発明の照明装置の第１の実施形態について説明する。図１および図２は第１の実施形態の照明装置を示した図である。詳細には、図１（Ａ）は第１の実施形態の照明装置の平面図、図１（Ｂ）は第１の実施形態の照明装置の正面図、図１（Ｃ）は第１の実施形態の照明装置の右側面図である。図２（Ａ）は第１の実施形態の照明装置の左側面図、図２（Ｂ）は図１（Ａ）のＡ−Ａ断面図、図２（Ｃ）は第１の実施形態の照明装置の要部の斜視図、図２（Ｄ）は図１（Ａ）のＢ−Ｂ断面図である。
【００３３】
図１および図２において、Ｓは例えばＬＥＤのような光源を示しており、Ｌは光源Ｓの主光軸線を示している。１，２は光源Ｓからの光を導光するためのレンズを示しており、３は光源Ｓからの光を反射するためのリフレクタを示している。４はレンズ１とレンズ２との間に配置された空気層を示している。５は光源Ｓを支持するための基板を示しており、６，７はレンズ１，２、リフレクタ３、および基板５を支持するための支持部材を示している。
【００３４】
図３および図４は図１および図２に示した光源Ｓおよびレンズ１の部品図である。詳細には、図３（Ａ）は光源Ｓおよびレンズ１の平面図、図３（Ｂ）は光源Ｓおよびレンズ１の斜視図、図３（Ｃ）は光源Ｓおよびレンズ１の正面図、図３（Ｄ）は光源Ｓおよびレンズ１の右側面図、図４（Ａ）は光源Ｓおよびレンズ１の左側面図、図４（Ｂ）は図３（Ａ）のＣ−Ｃ断面図、図４（Ｃ）は図３（Ａ）のＤ−Ｄ断面図である。
【００３５】
図３および図４において、１ａは光源Ｓからの光が入射せしめられるレンズ１の入射面を示している。第１の実施形態の照明装置では、図４（Ｂ）および図４（Ｃ）に示すように、球面の一部によって入射面１ａが構成され、その球面の中心あるいはその近傍に光源Ｓが配置されているが、第２の実施形態の照明装置では、代わりに、例えば平面のような任意の面によって入射面１ａを構成することも可能である。
【００３６】
また、図３および図４において、１ｂは入射面１ａを介して入射せしめられた光をレンズ２（図１および図２参照）の側に導光するためのレンズ１の導光部を示している。１ｃ，１ｄ，１ｉ，１ｊはレンズ１の側面を示しており、１ｅは導光部１ｂによって導光された光が出射せしめられる導光部１ｂの出射面を示している。１ｆは入射面１ａを介して入射せしめられた光をリフレクタ３（図１および図２参照）の側に反射するためのレンズ１の反射部を示している。１ｇは反射部１ｆの一部を構成する反射面を示しており、１ｈは反射面１ｇによって反射された光が出射せしめられる反射部１ｆの出射面を示している。
【００３７】
第１の実施形態の照明装置では、図３および図４に示すように、例えば楕円弧を図３（Ａ）の上下方向にスイープすることにより得られる楕円柱面によって反射面１ｇが構成されているが、第３の実施形態の照明装置では、代わりに、例えば平面のような任意の面によって反射面１ｇを構成することも可能である。
【００３８】
図５は図１および図２に示したレンズ２の部品図である。詳細には、図５（Ａ）はレンズ２の平面図、図５（Ｂ）はレンズ２の斜視図、図５（Ｃ）はレンズ２の正面図、図５（Ｄ）はレンズ２の右側面図である。
【００３９】
図５において、２ａはレンズ１の導光部１ｂの出射面１ｅ（図３および図４参照）から出射せしめられた光が入射せしめられるレンズ２の入射面を示している。２ｂ，２ｃ，２ｄ，２ｅはレンズ２の側面を示しており、２ｆはレンズ２によって導光された光が出射せしめられるレンズ２の出射面を示している。
【００４０】
図６および図７は光源Ｓから放射された光の光路を示した図である。詳細には、図６は図２（Ｂ）に示した断面図に光源Ｓから放射された光の光路を描き加えた図、図７は図２（Ｄ）に示した断面図に光源Ｓから放射された光の光路を描き加えた図である。
【００４１】
第１の実施形態の照明装置では、図６に示すように、光源Ｓから放射され、レンズ１の入射面１ａを介してレンズ１内に入射せしめられた光の一部が、反射部１ｆの反射面１ｇによってリフレクタ３の側（図６の右側）に全反射され、出射面１ｈから出射せしめられる。次いで、リフレクタ３の反射面によって反射され、第１の実施形態の照明装置の上側（図６の上側）に照射される。つまり、リフレクタ３の反射面が、光源Ｓからの光によって発光せしめられ、第１の実施形態の照明装置の発光面の一部として機能する。
【００４２】
第１の実施形態の照明装置では、図２（Ｃ）および図６に示すように、放物線を図６の手前−奥側方向にスイープすることにより得られる放物柱面によってリフレクタ３の反射面が構成され、レンズ１の反射部１ｆの反射面１ｇの焦線と、リフレクタ３の反射面の焦線とが一致せしめられるか、あるいは、それらが互いに近傍に配置されているが、第４の実施形態の照明装置では、代わりに、例えば平面のような任意の面によってリフレクタ３の反射面を構成することも可能である。
【００４３】
更に、第１の実施形態の照明装置では、図６および図７に示すように、光源Ｓから放射され、レンズ１の入射面１ａを介してレンズ１内に入射せしめられた光の一部が、レンズ１の導光部１ｂによって導光され、出射面１ｅから出射せしめられる。次いで、空気層４を通過せしめられ、レンズ２の入射面２ａを介してレンズ２内に入射せしめられる。次いで、レンズ２によって導光され、レンズ２の出射面２ｆを介して第１の実施形態の照明装置の上側（図６および図７の上側）に照射される。つまり、レンズ２の出射面２ｆが、光源Ｓからの光によって発光せしめられ、第１の実施形態の照明装置の発光面の一部として機能する。
【００４４】
詳細には、第１の実施形態の照明装置では、図６に示すように、光源Ｓから放射され、レンズ１の入射面１ａを介してレンズ１内に入射せしめられた光の一部が、レンズ１の側面１ｃ，１ｄによって全反射せしめられる。また、レンズ２の入射面２ａを介してレンズ２内に入射せしめられた光が、レンズ２の側面２ｂ，２ｃによって全反射せしめられる。
【００４５】
更に詳細には、第１の実施形態の照明装置では、図７に示すように、光源Ｓの主光軸線Ｌと角度θをなして光源Ｓから放射された光が、レンズ１と空気層４との境界面であるレンズ１の出射面１ｅにおいて屈折せしめられる。その結果、レンズ１の出射面１ｅから出射せしめられた光が光源Ｓの主光軸線Ｌとなす角度θ’（＞θ）が増加せしめられる。次いで、その光源Ｓの主光軸線Ｌとなす角度θ’が増加せしめられた光が、レンズ２の入射面２ａから入射せしめられ、上述したように、レンズ２の出射面２ｆを介して第１の実施形態の照明装置の上側（図６および図７の上側）に照射される。
【００４６】
つまり、第１の実施形態の照明装置では、図７に示すように、光源Ｓから放射された光が光源Ｓの主光軸線Ｌとなす角度θ，θ’を増加させるための空気層４が、レンズ１の入射面１ａと、レンズ２の発光面としての出射面２ｆとの間に配置されている。
【００４７】
そのため、第１の実施形態の照明装置によれば、空気層４が設けられていない場合よりも、光源Ｓから放射された光が光源Ｓの主光軸線Ｌとなす角度θ’（＞θ）を増加させることができる。その結果、第１の実施形態の照明装置によれば、空気層４が設けられていない場合よりも、レンズ２の発光面としての出射面２ｆのうち、光源Ｓの主光軸線Ｌと比較的大きい角度をなす広い領域に光源Ｓから放射された光を到達させることができる。換言すれば、第１の実施形態の照明装置によれば、空気層４が設けられていない場合よりも、レンズ２の発光面としての出射面２ｆのうち、光源Ｓの主光軸線Ｌから離れた領域に光源Ｓから放射された光を到達させることができる。つまり、第１の実施形態の照明装置によれば、空気層４を設けることにより、レンズ２の出射面２ｆの全体を均一に面発光させることができる。
【００４８】
更に、第１の実施形態の照明装置では、図６に示すように、レンズ１内に進入した光源Ｓからの光の一部をリフレクタ３の側（図６の右側）に反射するための反射面１ｇがレンズ１に形成されている。
【００４９】
詳細には、第１の実施形態の照明装置では、図６に示すように、光源Ｓから放射され、レンズ１内に進入した光の一部が、レンズ１に形成された反射面１ｇによってリフレクタ３の側（図６の右側）に反射され、次いで、そのリフレクタ３によって第１の実施形態の照明装置の上側（図６の上側）に反射される。また、図６に示すように、光源Ｓから放射され、レンズ１内に進入した光の残りの一部が、レンズ１，２により、第１の実施形態の照明装置の上側（図６の上側）に導光される。
【００５０】
そのため、第１の実施形態の照明装置によれば、レンズ１，２に対して光を照射する光源およびリフレクタ３に対して光を照射する光源として同一の光源Ｓを用いつつ、レンズ１，２によって導光される光の方向と、リフレクタ３によって反射される光の方向とを一致させることができる。
【００５１】
詳細には、第１の実施形態の照明装置によれば、レンズ１，２に対して光を照射する光源と、リフレクタ３に対して光を照射する光源とを別個に設ける必要性を排除しつつ、レンズ１，２によって導光される光の方向と、リフレクタ３によって反射される光の方向とを一致させることができる。
【００５２】
換言すれば、第１の実施形態の照明装置によれば、１個の光源Ｓによってレンズ２の出射面２ｆおよびリフレクタ３の反射面の両方が第１の実施形態の照明装置の上側（図６および図７の上側）から同時に光って見えるようにすることができる。
【００５３】
第１の実施形態の照明装置では、図３（Ｂ）に示すように、レンズ１の出射面１ｅが平面によって構成されているが、第５の実施形態の照明装置では、代わりに、平面以外の任意の面によってレンズ１の出射面１ｅを構成したり、レンズ１の出射面１ｅにレンズカット、シボ加工などを形成したりすることも可能である。レンズ１の出射面１ｅにレンズカット、シボ加工などを形成することにより、レンズ１の出射面１ｅが平面によって構成されている場合よりも、レンズ２の発光面としての出射面２ｆのうち、光源Ｓの主光軸線Ｌと大きい角度をなす広い領域に光源Ｓから放射された光を到達させることができる。
【００５４】
また、第１の実施形態の照明装置では、レンズ２の入射面２ａが平面によって構成されているが、第６の実施形態の照明装置では、代わりに、平面以外の任意の面によってレンズ２の出射面２ａを構成したり、レンズ２の出射面２ａにレンズカット、シボ加工などを形成したりすることも可能である。レンズ２の出射面２ａにレンズカット、シボ加工などを形成することにより、レンズ２の出射面２ａが平面によって構成されている場合よりも、レンズ２の発光面としての出射面２ｆのうち、光源Ｓの主光軸線Ｌと大きい角度をなす広い領域に光源Ｓから放射された光を到達させることができる。
【００５５】
更に、第１の実施形態の照明装置では、レンズ１の出射面１ｈおよびレンズ２の出射面２ｆが平面によって構成されているが、第７の実施形態の照明装置では、代わりに、平面以外の任意の面によってレンズ１の出射面１ｈおよび／またはレンズ２の出射面２ｆを構成したり、レンズ１の出射面１ｈおよび／またはレンズ２の出射面２ｆにレンズカット、シボ加工などを形成したりすることも可能である。
【００５６】
また、第１の実施形態の照明装置では、レンズ１の側面１ｃ，１ｄが平面によって構成されているが、第８の実施形態の照明装置では、代わりに、平面以外の任意の面によってレンズ１の側面１ｃ，１ｄを構成したり、レンズ１の側面１ｃ，１ｄにレンズカット、シボ加工などを形成したりすることも可能である。レンズ１の側面１ｃ，１ｄにレンズカット、シボ加工などを形成することにより、レンズ１の側面１ｃ，１ｄが平面によって構成されている場合よりも、レンズ２の発光面としての出射面２ｆのうち、光源Ｓの主光軸線Ｌと大きい角度をなす広い領域に光源Ｓから放射された光を到達させることができる。
【００５７】
更に、第１の実施形態の照明装置では、レンズ２の側面２ｂ，２ｃが平面によって構成されているが、第９の実施形態の照明装置では、代わりに、平面以外の任意の面によってレンズ２の側面２ｂ，２ｃを構成したり、レンズ２の側面２ｂ，２ｃにレンズカット、シボ加工などを形成したりすることも可能である。レンズ２の側面２ｂ，２ｃにレンズカット、シボ加工などを形成することにより、レンズ２の側面２ｂ，２ｃが平面によって構成されている場合よりも、レンズ２の発光面としての出射面２ｆのうち、光源Ｓの主光軸線Ｌと大きい角度をなす広い領域に光源Ｓから放射された光を到達させることができる。
【００５８】
また、第１の実施形態の照明装置では、別部材によって形成されたレンズ１，２が支持部材６，７によって支持されているが、第１０の実施形態の照明装置では、代わりに、レンズ１，２を一部材によって形成すると共に、そのレンズ１，２に穴を形成することによって空気層４を設けることも可能である。
【００５９】
更に、第１の実施形態の照明装置では、レンズ１とレンズ２との間に空気層４が配置されているが、第１１の実施形態の照明装置では、代わりに、空気層４を設けないことも可能である。つまり、レンズ１の出射面１ｅとレンズ２の入射面２ａとを接触させることも可能である。
【００６０】
また、第１の実施形態の照明装置では、照明装置全体で１個の光源Ｓが設けられているが、第１２の実施形態の照明装置では、代わりに、奥行き寸法（図２（Ａ）の左右方向寸法）を大きくすると共に、奥行き方向（図２（Ａ）の左右方向）に複数の光源を配列することも可能である。
【００６１】
更に、第１の実施形態の照明装置では、図２（Ｂ）および図６に示すように、リフレクタ３からの反射光が直射光として第１の実施形態の照明装置の上側（図２（Ｂ）および図６の上側）に照射されているが、第１３の実施形態の照明装置では、代わりに、リフレクタ３の上側（図２（Ｂ）および図６の上側）にインナーレンズを配置し、そのインナーレンズを介してリフレクタ３からの反射光を第１の実施形態の照明装置の上側（図２（Ｂ）および図６の上側）に照射することも可能である。
【００６２】
以下、本発明の照明装置の第１４の実施形態について説明する。第１４の実施形態の照明装置は、後述する点を除き、上述した第１の実施形態の照明装置と同様に構成されている。従って、第１４の実施形態の照明装置によれば、後述する点を除き、上述した第１の実施形態の照明装置とほぼ同様の効果を奏することができる。
【００６３】
図８は第１４の実施形態の照明装置を示した図である。詳細には、図８は第１４の実施形態の照明装置の要部を示した図２（Ｃ）と同様の斜視図である。
【００６４】
第１の実施形態の照明装置では、図２（Ｃ）および図３（Ｂ）に示すように、楕円弧をスイープすることにより得られる楕円柱面によってレンズ１の反射面１ｇが構成され、レンズ１の出射面１ｈが長方形形状に形成されているが、第１４の実施形態の照明装置では、図８に示すように、所定の中心軸線を中心に楕円弧を回転させることにより得られる回転楕円面によってレンズ１’の反射面１ｇ’が構成され、レンズ１’の出射面１ｈ’が半円形状に形成されている。
【００６５】
そのため、第１４の実施形態の照明装置によれば、レンズ１’の反射面１ｇ’からの反射光が反射面１ｇ’（回転楕円面）の第２焦点において一旦集光せしめられた後に拡散せしめられ、リフレクタ３の反射面によって第１４の実施形態の照明装置の上側（図８の上側）に照射される。
【００６６】
第１４の実施形態の照明装置では、図８に示すように、リフレクタ３の反射面が放物柱面によって構成されているが、第１５の実施形態の照明装置では、代わりに、リフレクタ３の反射面を回転放物面によって構成することも可能である。
【００６７】
以下、本発明の照明装置の第１６の実施形態について説明する。第１６の実施形態の照明装置は、後述する点を除き、上述した第１の実施形態の照明装置と同様に構成されている。従って、第１６の実施形態の照明装置によれば、後述する点を除き、上述した第１の実施形態の照明装置とほぼ同様の効果を奏することができる。
【００６８】
図９は第１６の実施形態の照明装置を示した図である。詳細には、図９は第１６の実施形態の照明装置の要部を示した図２（Ｂ）と同様の断面図である。
【００６９】
第１の実施形態の照明装置では、図２（Ｂ）および図６に示すように、レンズ１に１個の反射部１ｆ（反射面１ｇ、出射面１ｈ）が設けられると共に、１個のリフレクタ３が設けられているが、第１６の実施形態の照明装置では、図９に示すように、光源Ｓの主光軸線Ｌを隔てて第１６の実施形態の照明装置の右側（図９の右側）にレンズ１”の反射部１ｆ１（反射面１ｇ１、出射面１ｈ１）およびリフレクタ３−１が設けられると共に、光源Ｓの主光軸線Ｌを隔てて第１６の実施形態の照明装置の左側（図９の左側）にレンズ１”の反射部１ｆ２（反射面１ｇ２、出射面１ｈ２）およびリフレクタ３−２が設けられている。
【００７０】
そのため、第１６の実施形態の照明装置によれば、１個のリフレクタ３が設けられている第１の実施形態の照明装置よりも、照明装置全体の発光面を大きくすることができる。
【００７１】
第１７の実施形態では、上述した第１から第１６の実施形態を適宜組合わせることも可能である。
【産業上の利用可能性】
【００７２】
本発明の照明装置は、例えばリアコンビネーションランプのような車両用灯具、例えばダウンライトなどのような一般照明用灯具、遊技機器演出用照明装置などに適用可能である。
【図面の簡単な説明】
【００７３】
【図１】第１の実施形態の照明装置を示した図である。
【図２】第１の実施形態の照明装置を示した図である。
【図３】図１および図２に示した光源Ｓおよびレンズ１の部品図である。
【図４】図１および図２に示した光源Ｓおよびレンズ１の部品図である。
【図５】図１および図２に示したレンズ２の部品図である。
【図６】光源Ｓから放射された光の光路を示した図である。
【図７】光源Ｓから放射された光の光路を示した図である。
【図８】第１４の実施形態の照明装置を示した図である。
【図９】第１６の実施形態の照明装置を示した図である。
【符号の説明】
【００７４】
Ｓ                      光源
Ｌ                      主光軸線
１                      レンズ
１ａ                    入射面
１ｂ                    導光部
１ｃ，１ｄ，１ｉ，１ｊ  側面
１ｅ                    出射面
１ｆ                    反射部
１ｇ                    反射面
１ｈ                    出射面
２                      レンズ
２ａ                    入射面
２ｂ，２ｃ，２ｄ，２ｅ  側面
２ｆ                    出射面
３                      リフレクタ
４                      空気層
【図１】
2007287449.tif 000003
【図２】
2007287449.tif 000004
【図３】
2007287449.tif 000005
【図４】
2007287449.tif 000006
【図５】
2007287449.tif 000007
【図６】
2007287449.tif 000008
【図７】
2007287449.tif 000009
【図８】
2007287449.tif 000010
【図９】
2007287449.tif 000011